(57)【要約】【課題】簡単な構造であってコスト面で有利にでき、汎用性に優れる照明器具を提供する。【解決手段】照明器具１０は、器具本体１１と、ピン保持部３１を有する一対のソケット１２と、一対のソケット１２のピン保持部３１に取り付けられる直管ランプ１４とを備え、直管ランプ１４が、筒部であるガラス管２０の長手方向に沿って配列されたＬＥＤユニット２７と、一対の口金と、複数の給電側ピン２３と、を有するとともに、給電側ピン２３の配列方向とＬＥＤユニット２７の光軸方向とが直交し、ソケット１２が、ピン保持部３１の軸線を中心として器具本体１１に対して回動可能である。【選択図】図４
2013065457.tif 000002
【特許請求の範囲】
【請求項１】
器具本体と、
前記器具本体の両端に取り付けられ、ピン保持部を有する一対のソケットと、
前記一対のソケットの前記ピン保持部に取り付けられる直管ランプとを備え、
前記直管ランプが、
透光性を有する筒部に収容され、かつ、前記筒部の長手方向に沿って配列された複数のＬＥＤユニットと、
前記筒部の長手方向両端部にそれぞれ設けられた一対の口金と、
前記各口金のうちの少なくとも一方における端面に設けられた複数のピンと、
を有するとともに、
前記各ピンの配列方向と前記各ＬＥＤユニットの光軸方向とが直交し、
前記ソケットが、
前記ピン保持部の軸線を中心として前記器具本体に対して回動可能である照明器具。
【請求項２】
請求項１に記載の照明器具において、
前記ソケットが、所定間隔でクリック感が生じる係合部を備える照明器具。
【請求項３】
請求項１または請求項２に記載の照明器具において、
前記ソケットを支持するソケット支持台を有し、
前記ソケット支持台が前記器具本体に対して回動可能である照明器具。
【発明の詳細な説明】
【技術分野】
【０００１】
本発明は、ＬＥＤを有する直管型ＬＥＤランプを光源として天井面に設置される照明器具に関する。
【背景技術】
【０００２】
従来より、回転シートと、二つのピンと、カバーと、ケースとを備え、回転シートが第１位置決調整構造を備え、カバーが第２位置決調整構造を備えるＬＥＤランプコネクタを装備した照明器具が知られている（例えば、特許文献１参照）。
特許文献１は、第１位置決調整構造が第２位置決調整構造に対応して組み合わされることにより、ＬＥＤランプを任意方向に配光できる。
【先行技術文献】
【特許文献】
【０００３】
【特許文献１】実用新案登録第３１５３４０１号公報（図４、段落０００９）
【発明の概要】
【発明が解決しようとする課題】
【０００４】
特許文献１は、回転シートを回転させることによりＬＥＤランプの二つのピンの角度を変えられるようにし、それによりＬＥＤランプの照射方向を正確にできる。
しかし、特許文献１は、回転シートに備えた第１位置決調整構造と、カバーに備えた第２位置決調整構造とを組み合わせる構造である。
従って、特許文献１は、第１位置決調整構造と第２位置決調整構造とより複雑な構造になる。
そして、特許文献１は、あらかじめ決められたピンの数にのみ対応する構造である。
従って、特許文献１は、汎用性に乏しい。
【０００５】
本発明は、前述した課題を解決するためになされたものであり、その目的は、簡単な構造であってコスト面で有利にでき、汎用性に優れる照明器具を提供することにある。
【課題を解決するための手段】
【０００６】
本発明に係る照明器具は、器具本体と、前記器具本体の両端に取り付けられ、ピン保持部を有する一対のソケットと、前記一対のソケットの前記ピン保持部に取り付けられる直管ランプとを備え、前記直管ランプが、透光性を有する筒部に収容され、かつ、前記筒部の長手方向に沿って配列された複数のＬＥＤユニットと、前記筒部の長手方向両端部にそれぞれ設けられた一対の口金と、前記各口金のうちの少なくとも一方における端面に設けられた複数のピンと、を有するとともに、前記各ピンの配列方向と前記各ＬＥＤユニットの光軸方向とが直交し、前記ソケットが、前記ピン保持部の軸線を中心として前記器具本体に対して回動可能である。
【０００７】
本発明に係る照明器具は、前記ソケットが、所定間隔でクリック感が生じる係合部を備える。
【０００８】
本発明に係る照明器具は、前記ソケットを支持するソケット支持台を有し、前記ソケット支持台が前記器具本体に対して回動可能である。
【発明の効果】
【０００９】
本発明に係る照明器具によれば、簡単な構造であってコスト面で有利にでき、汎用性に優れるという効果を奏する。
【図面の簡単な説明】
【００１０】
【図１】本発明に係る一実施形態の照明器具の分解斜視図
【図２】本発明に係る一実施形態の照明器具の一部破断側面図
【図３】本発明に係る一実施形態の照明器具のソケット周りの外観斜視図
【図４】本発明に係る一実施形態の照明器具の回動前のソケット周りの正面図
【図５】本発明に係る一実施形態の照明器具の回動後のソケット周りの正面図
【図６】本発明に係る一実施形態の照明器具の変形例のソケット周りの外観斜視図
【図７】本発明に係る一実施形態の照明器具の他の変形例のソケット周りの外観斜視図
【発明を実施するための形態】
【００１１】
以下、本発明に係る一実施形態の照明器具について図面を参照して説明する。
図１に示すように、本発明に係る一実施形態の照明器具１０は、器具本体１１と、器具本体１１の一端部に取り付けられた給電側ソケット１２と、器具本体１１の他端部に取り付けられた接地側ソケット１３とを備える。
また、照明器具１０は、給電側ソケット１２と接地側ソケット１３とに電気的に接続されて機械的に取り付けられる直管型ＬＥＤランプ１４を備える。
そして、照明器具１０は、直管型ＬＥＤランプ１４の上方に配置されて器具本体１１に取り付けられる反射板１５を備える。
照明器具１０は、不図示の天井面に設置されるベースライトである。
【００１２】
器具本体１１は、厚みの薄い金属製板部材を折曲することにより下方を開口させて成形されており、一端部に下方に向けて突出した給電側ソケット１２用の第１背面板１６を有し、他端部に下方に向けて突出した接地側ソケット１３用の第２背面板１７を有する。
給電側ソケット１２は、第１背面板１６の軸方向の内側に配置され、接地側ソケット１３は、第２背面板１７の軸方向の内側に配置されている。
【００１３】
器具本体１１は、内側の下面に電源端子台１８と、電源ブロック１９とを取り付けている。
電源端子台１８には、不図示の外部配線が接続されるとともに、同じく不図示の器具配線が電源ブロック１９に接続される。電源ブロック１９は、同じく不図示の器具配線を通じて給電側ソケット１２および接地側ソケット１３に接続される。
【００１４】
直管型ＬＥＤランプ１４は、断面が略円形状であって透光性を有する筒部であるガラス管２０の長手方向の一端部に第１口金２１を有し、ガラス管２０の長手方向の他端部に第２口金２２を有する。
そして、直管型ＬＥＤランプ１４は、第１口金２１の端面に複数の給電側ピン２３を有し、第２口金２２の端面に単一の接地側ピン２４を有する。
なお、給電側ピン２３および接地側ピン２４の数は、図示した２本の給電側ピン２３および１本の接地側ピン２４に限定されず、内部回路に応じて適宜設定される。
【００１５】
直管型ＬＥＤランプ１４は、ガラス管２０内に、複数のＬＥＤ２５がガラス管２０の軸方向に封止されたＬＥＤ基板２６を有する複数のＬＥＤユニット２７を内蔵している。
複数のＬＥＤユニット２７は、コ字形状に形成されてＬＥＤ基板２６に固定されたヒートシンク２８を含む。
ここで、ＬＥＤユニット２７のＬＥＤ２５は、その光軸方向Ｘが、給電側ピン２３の配列方向Ｙと直交して配置されている。
【００１６】
直管型ＬＥＤランプ１４は、被照射対象に向けた照射範囲がガラス管２０の全周に対して１／２ないし２／３である。
直管型ＬＥＤランプ１４は、給電側ソケット１２から給電された直流電流が給電側ピン２３から接地側ピン２４を通じて接地側ソケット１３に流れることにより、ＬＥＤ基板２６に有する不図示のプリント回路に直流電流が供給されてＬＥＤ２５が発光される。
【００１７】
反射板１５は、器具本体１１と同様に、厚みの薄い金属製板部材により形成されており、下面が反射機能を有する白色や乳白色に塗装されている。
反射板１５は、両端部に、給電側ソケット１２および接地側ソケット１３を挿入させるための給電側ソケット逃部２９および接地側ソケット逃部３０を有する。
【００１８】
次に、給電側ソケット１２および接地側ソケット１３について詳細に説明する。
なお、給電側ソケット１２および接地側ソケット１３は、同一構造を有するために、ここでは、接地側ソケット１３の説明は省略する。
図２に示すように、給電側ソケット１２は、不図示のピン受端子を内蔵しており、ピン保持部（図４参照）３１を有するソケット本体３２と、ソケット本体３２を支持するソケット支持台３３とを備えている。
【００１９】
ソケット本体３２は、例えば非導電部材である樹脂製であって、器具本体１１の中央部側にピン保持部３１を配置している。
ソケット本体３２は、器具本体１１側の天部寄りの対向位置に器具本体１１の軸方向に平行な凹溝３４を有する。
ソケット支持台３３は、器具本体１１と同様に、厚みの薄い金属製板部材を折曲することにより略Ｌ字形状に形成されており、給電側ソケット１２用の第１背面板１６に対向して配置される板部３５と、器具本体１１側に配置されるホルダ部３６とを有する。
【００２０】
図３に示すように、給電側ソケット１２は、縦溝形状のピン保持部３１を有する。給電側ソケット１２用の第１背面板１６は、中央部に形成されたねじ挿通孔３７と、このねじ挿通孔３７の外周に形成された係合部の一方を構成する複数の係合孔３８とを備える。
ソケット支持台３３は、ホルダ部３６に器具本体１１の軸方向に平行なソケット装着部３９を有し、このソケット装着部３９に給電側ソケット１２のソケット本体３２に有する凹溝３４が係合されることにより、給電側ソケット１２を取り付ける。
【００２１】
ソケット支持台３３は、板部３５の中央部に形成されたねじ固定孔４０と、このねじ固定孔４０の外周に形成された係合部の他方を構成する複数の係合突起４１とを備える。
ここで、係合突起４１は、ねじ固定孔４０の外周において、下方を中心としてほぼ半周の領域において円周方向に例えば２０度刻みで形成されており、係合孔３８は、ねじ挿通孔３７の外周全周において円周方向に例えば２０度刻みで形成されている。
【００２２】
次に、ソケット支持台３３を第１背面板１６に取り付ける手順について説明する。
まず、ソケット本体３２の凹溝３４がソケット装着部３９に装着されたソケット支持台３３の板部３５を、器具本体１１の第１背面板１６に対向して配置する。
次に、第１背面板１６のねじ挿通孔３７からソケット支持台３３の板部３５のねじ固定孔４０にねじ４２をねじ込む。
ねじ４２のねじ込みが進むにつれて、ソケット支持台３３の板部３５が第１背面板１６に引き寄せられ、第１背面板１６の係合孔３８にソケット支持台３３の係合突起４１が係合される。
【００２３】
ねじ４２のねじ込みが終了した際に、第１背面板１６の係合孔３８にソケット支持台３３の係合突起４１が係合されることにより、ソケット支持台３３が第１背面板１６に対して回動可能に支持される。
このように、給電側ソケット１２は、ピン保持部３１の軸線を中心として器具本体１１に対して回動可能である。
このとき、ソケット支持台３３の係合突起４１が、第１背面板１６の係合孔３８に２０度の間隔でクリック感を伴って係合可能に取り付けられているために、ソケット支持台３３が第１背面板１６に対して２０度間隔で回動されることになる。
【００２４】
次に、給電側ソケット１２に直管型ＬＥＤランプ１４を取り付ける手順およびソケット支持台３３の回動動作について説明する。
図４に示すように、まず、直管型ＬＥＤランプ１４を器具本体１１の下方に配置させた後に、直管型ＬＥＤランプ１４の複数の給電側ピン２３を給電側ソケット１２のピン保持部３１の縦溝形状に挿入し、直管型ＬＥＤランプ１４を略９０度回動させる。
【００２５】
給電側ソケット１２のピン保持部３１に複数の給電側ピン２３が挿入された直管型ＬＥＤランプ１４が９０度回動されることにより、複数の給電側ピン２３が給電側ソケット１２に内蔵されているピン受端子に電気的に接続される。
このとき、ソケット支持台３３の係合突起４１が、第１背面板１６の係合孔３８に係合されているために、ソケット支持台３３が位置Ａ０に保持される。
そのため、直管型ＬＥＤランプ１４は、複数のＬＥＤ２５が床面に向けた配光特性を有する。
【００２６】
図５に示すように、次に、ソケット支持台３３が図５中の時計回転方向に押圧される。
そのため、ソケット支持台３３は、第１背面板１６に対して相対的に回動された後に、係合突起４１が係合孔３８に係合される。
これにより、給電側ソケット１２が、ピン保持部３１の軸線を中心として器具本体１１に対して回動される。
そのため、ソケット支持台３３が位置Ａ０から位置Ａ１まで２０度回動されて保持される。
そして、直管型ＬＥＤランプ１４は、複数のＬＥＤ２５が光軸方向を床面に向けた方向に対して２０度傾けた配光特性を有することになる。
【００２７】
ソケット支持台３３は、図５中の時計回転方向にさらに押圧回動されることにより、位置Ａ２と、位置Ａ３と、位置Ａ４と、位置Ａ５とのそれぞれの位置において保持される。
これとは異なり、ソケット支持台３３は、位置Ａ０から図５中の反時計回転方向に押圧回動されることにより、位置−Ａ１と、位置−Ａ２と、位置−Ａ３と、位置−Ａ４と、位置−Ａ５とのそれぞれの位置において保持される。
このように、ソケット支持台３３が回動された後に複数の位置において保持されることにより、直管型ＬＥＤランプ１４を任意の配光に制御できる。
【００２８】
次に、照明器具１０の変形例について説明する。
図６に示すように、本変形例は、第１背面板５１の中央部にねじ挿通孔５２が形成されており、このねじ挿通孔５２の外周にねじ固定孔５３が形成されている。
また、ソケット支持台５４において、第１背面板５１に対向して配置される板部５５の中央部にねじ固定孔５６が形成されており、このねじ固定孔５６の外周のほぼ１８０度の範囲に円弧形状で係合部の一方を構成する長孔５７が形成されている。
そして、板部５５の長孔５７を通じて第１背面板５１のねじ固定孔５６に係合部の他方を構成するねじ５８がねじ込まれる。ねじ５８は、締め付けることおよび緩めることができる蝶ねじが選ばれる。
【００２９】
次に、本変形例のソケット支持台５４の回動動作について説明する。
ソケット支持台５４が直立している位置においてねじ５８がねじ込まれることにより、ＬＥＤ２５が床面に向けた配光特性を有する位置で保持される。
次に、ねじ５８を緩めて、ソケット支持台５４を第１背面板５１に対して任意の位置まで回動させた後に、ねじ５８がねじ込まれることにより、直管型ＬＥＤランプ１４は、ＬＥＤ２５が床面に対して傾いた任意の配光特性を有する位置で保持されることになる。
【００３０】
次に、照明器具１０の他の変形例について説明する。
図７に示すように、本変形例は、第１背面板６１の中央部にねじ挿通孔６２が形成されており、このねじ挿通孔６２の外周のほぼ１８０度の範囲に円弧形状の係合部の一方を構成する長孔６３が形成されている。
また、ソケット支持台６４において、第１背面板６１に対向して配置される板部６５の中央部にねじ固定孔６６が形成されており、このねじ固定孔６６の外周にねじ固定孔６７が形成されている。
そして、第１背面板６１の長孔６３を通じて板部６５のねじ固定孔６６に係合部の他方を構成するねじ６８がねじ込まれる。この場合も、ねじ６８は、締め付けることおよび緩めることができる蝶ねじが選ばれる。
【００３１】
次に、本変形例のソケット支持台６４の回動動作について説明する。
ソケット支持台６４が直立している位置においてねじ６８がねじ込まれることにより、ＬＥＤ２５が床面に向けた配光特性を有する位置で保持される。
次に、ねじ６８を緩めて、ソケット支持台６４を第１背面板６１に対して任意の位置まで回動させた後に、ねじ６８がねじ込まれることにより、直管型ＬＥＤランプ１４は、ＬＥＤ２５が床面に対して傾いた任意の配光特性を有する位置で保持されることになる。
【００３２】
以上、説明した本発明に係る一実施形態の照明器具１０によれば、給電側ピン２３の配列方向ＹとＬＥＤユニット２７のＬＥＤ２５の光軸方向Ｘとが直交し、給電側ソケット１２が、ピン保持部３１の軸線を中心として器具本体１１に対して回動可能である。
従って、従来のものと比べて、はるかに簡単な構造であってコスト面で有利にでき、汎用性を向上できる。
【００３３】
また、照明器具１０によれば、ソケット支持台３３の係合突起４１が、第１背面板１６の係合孔３８に２０度の間隔でクリック感を伴って係合可能に取り付けられているために、使用者が、自ら設定した配光角度を簡単に認識できる。
【００３４】
そして、照明器具１０によれば、ソケット支持台３３，５４，６４が器具本体１１の第１背面板１６，５１，６１に対して回動可能であるために、簡単な構造であってコスト面で有利にでき、汎用性を向上できる。
【００３５】
変形例の照明器具１０によれば、ソケット支持台５４，６４を任意の回動位置に保持できるために、使用者の好みに応じた配光特性を、任意に微調整可能にして設定できる。
【００３６】
なお、本発明の照明器具において器具本体、反射板、電源端子台、電源ブロック等は、前述した一実施形態に限定されるものでなく、適宜な変形や改良等が可能である。
【符号の説明】
【００３７】
１０  照明器具
１１  器具本体
１２  給電側ソケット（ソケット）
１３  接地側ソケット（ソケット）
１４  直管型ＬＥＤランプ（直管ランプ）
２０  ガラス管（筒部）
２１  第１口金（口金）
２２  第２口金（口金）
２３  給電側ピン（ピン）
２７  ＬＥＤユニット
３１  ピン保持部
３３，５４，６４  ソケット支持台
３８  係合孔（係合部）
４１  係合突起（係合部）
５７，６３  長孔（係合部）
５８，６８  ねじ（係合部）
【図１】
2013065457.tif 000003
【図２】
2013065457.tif 000004
【図３】
2013065457.tif 000005
【図４】
2013065457.tif 000006
【図５】
2013065457.tif 000007
【図６】
2013065457.tif 000008
【図７】
2013065457.tif 000009